【事件の表示】
　特許第５８８３４０６号発明「くし付きヘアアイロン」の特許異議申立事件について，次のとおり決定する。
【結　論】
　特許第５８８３４０６号の特許請求の範囲を訂正請求書に添付された訂正特許請求の範囲のとおり，訂正後の請求項〔１−１１〕について，訂正することを認める。
　特許第５８８３４０６号の請求項１ないし１１に係る特許を維持する。
【理　由】
第１　手続の経緯
　特許第５８８３４０６号の請求項１〜１１に係る特許についての手続の経緯は，以下のとおりである。
　　平成２５年　２月２８日　　特許出願（優先日平成２４年２月２８日）
　　平成２８年　２月１２日　　特許権の設定登録
　　平成２８年　６月２８日　　特許異議の申立て
　　平成２８年１１月　７日　　取消理由通知
　　平成２９年　１月１０日　　意見書提出（特許権者），訂正請求書提出
　　平成２９年　２月２４日　　意見書提出（異議申立人）
第２　訂正の適否について
　
１　訂正の内容
　本件訂正請求による訂正の内容（以下「訂正事項」という。）は，以下のとおりである。
　＜訂正事項＞
　　請求項１の「前記第１の支持部材に回転可能に設けられた棒状の第２の支持部材と，」を，「前記第１の支持部材に回転可能に設けられ，互いに拡開するように付勢され，かつ必要以上に拡開しないように拡開方向への回動が規制された棒状の第２の支持部材と，」に訂正する。
　
２　新規事項の有無，訂正の目的の適否，特許請求の範囲の拡張・変更の存否，及び一群の請求項
　上記訂正事項に関連する事項として，本件明細書の【００２４】には，
　「（本体２１０について）
　本体２１０は，回動連結部２１０aを介して略Ｖ字状に拡開可能にそれぞれ連結された上側及び下側アーム部２１１a,２１１ｂから構成された挟持体である。
　上側及び下側アーム部２１１a,２１１ｂは，回動連結部２１０a内に配置された図示はしないコイルスプリング及びストッパーによって互いに拡開するように通常は付勢され，かつ必要以上に拡開しないように拡開方向への回動が規制されている。」
と記載されている。
　よって，上記訂正事項は，新規事項の追加には該当しない。
　また，上記訂正事項は，訂正前の請求項１の「第２の支持部材」に係る構成を限定したものといえるから，特許請求の減縮を目的とするものであるし，実質上特許請求の範囲を拡張し，又変更するものでもない。
　そして，これら訂正は，請求項１〜１１からなる一群の請求項に対してなされたものである。
　
３　小括
　以上のとおりであるから，本件訂正請求による訂正は，特許法第１２０条の５第２項第１号に掲げる事項を目的とするものであり，かつ，同条第４項，及び同条第９項において準用する第１２６条第５項ないし第６項までの規定に適合するので，訂正後の請求項〔１−１１〕について訂正を認める。
第３　特許異議の申立てについて
　
１　本件発明
　本件訂正請求により訂正された訂正請求項１〜１１に係る発明（以下「本件発明１〜１１」という。また，それらをまとめて「本件発明」という。）は，その特許請求の範囲の請求項１〜１１に記載された次の事項により特定されるとおりのものである。（下線部は訂正箇所を示す。）
「【請求項１】
　棒状の第１の支持部材と，
　前記第１の支持部材に回転可能に設けられ
，互いに拡開するように付勢され，かつ必要以上に拡開しないように拡開方向への回動が規制され
　電気を供給されて発熱する発熱部と，
　前記第１の支持部材に設けられ前記発熱部と熱的に接続される第１の熱部と，
　前記第１の熱部と対向して前記第２の支持部材に設けられかつ前記発熱部と熱的に接続される第２の熱部と
　前記第１の支持部材に設けられ前記第１の熱部の反対側に位置しかつ前記発熱部と熱的に接続され，互いに間隔をあけて配置された複数の第３の熱部と，
　前記第２の支持部材に設けられ前記第２の熱部の反対側に位置しかつ前記発熱部と熱的に接続され，互いに間隔をあけて配置された複数の第４の熱部と，
　前記第３の熱部の間隙に突設された略円柱状の複数の熱不良導体からなる第１のくし歯部と，
　前記第４の熱部の間隙に突設された略円柱状の複数の熱不良導体からなる第２のくし歯部と
　を備えることを特徴とするくし付きヘアアイロン。
　【請求項２】
　前記第１のくし歯部の前記熱不良導体は，前記第１の支持部材の長手方向に沿って配列され，前記第２のくし歯部の前記熱不良導体は，前記第２の支持部材の長手方向に沿って配列されていることを特徴とする請求項１に記載のくし付きヘアアイロン。
　【請求項３】
　前記第１及び第２の支持部材が，それぞれ半円筒形状を有し，かつ平坦面を対向させて互いに並列しており，
　前記第１及び第２の熱部は，前記平坦面側にそれぞれ配置され，
　前記第３及び第４の熱部は，前記平坦面の逆側の外周面側にそれぞれ配置されること
　を特徴とする請求項１または２に記載のくし付きヘアアイロン。
　【請求項４】
　前記第３及び第４の熱部は，前記第１及び第２の支持部材の外周面の周方向に沿ってそれぞれ前記間隔をあけて配設されていることを特徴とする請求項１ないし３のいずれか１項に記載のくし付きヘアアイロン。
　【請求項５】
　前記第１及び第２のくし歯部の前記熱不良導体がピン体であることを特徴とする請求項１ないし４のいずれか１項に記載のくし付きヘアアイロン。
　【請求項６】
　前記第１の支持部材に設けられる半円筒状の第１の熱良導体と，
　前記第２の支持部材に設けられる半円筒状の第２の熱良導体と
をさらに備え，
　前記第１及び第２の熱良導体は，長手方向に沿って外周面に設けられた複数の溝部をそれぞれ有し，
　前記第３の熱部は，前記複数の溝部と交互に配置された前記第１の熱良導体の外周面部であり，
　前記第４の熱部は，前記複数の溝部と交互に配置された前記第２の熱良導体の外周面部であること
　を特徴とする請求項１ないし５のいずれか１項に記載のくし付きヘアアイロン。
　【請求項７】
　前記第１及び第２のくし歯部は，前記溝部に挿入される板状の基部をそれぞれ有し，
　前記熱不良導体は，前記基部の長手方向に所定の間隔をあけて当該基部の表面から突設されること
　を特徴とする請求項６に記載のくし付きヘアアイロン。
　【請求項８】
　前記第１のくし歯部は，前記第１の熱良導体の外周面の円周方向に沿って２つ以上設けられ，
　前記第２のくし歯部は，前記第２の熱良導体の外周面の円周方向に沿って２つ以上設けられる
　ことを特徴とする請求項６または７に記載のくし付きヘアアイロン。
　【請求項９】
　前記発熱部が，前記第１及び第２の支持部材にそれぞれ設けられる第１及び第２の発熱体を備えることを特徴とする請求項１ないし８のいずれか１項に記載のくし付きヘアアイロン。
　
　【請求項１０】
　前記第１の発熱体は，前記第１及び第３の熱部と熱的に接続され，
　前記第２の発熱体は，前記第２及び第４の熱部と熱的に接続される
　ことを特徴とする請求項９に記載のくし付きヘアアイロン。
　【請求項１１】
　前記第１または第２の支持部材に設けられる放電電極と，
　前記放電電極に高電圧を印加する高電圧発生部と，
　をさらに備えること
　を特徴とする請求項１ないし１０のいずれか１項に記載のくし付きヘアアイロン。」
　
２　取消理由の概要
　訂正前の請求項１〜１１に係る特許に対して，平成２８年１１月７日付けで特許権者に通知した取消理由の要旨は，次のとおりである。
　＜取消理由の要旨＞
　　請求項１〜１１に係る発明は，次に示す甲第１号証に記載された発明，引用例２に記載された発明及び周知技術に基いて，当業者が容易に発明をすることができたものであるから，請求項１〜１１についての特許は，特許法第２９条第２項の規定に違反してされたものであり，特許法第１１３条第２号に該当し，取り消されるべきものである。
　　甲第１号証　特開２００２−３４５５３６号公報 
　　引用例２　　国際公開２０１１／０７８５９３号（甲第２号証の特表２０１３−５１５５５６号のファミリー）
　　甲第３号証　特開２００９−６６０２２号公報（周知技術例） 
　
３　甲号証等の記載
　ア　甲第１号証には，以下の事項が記載されている。
　（１−１）「【請求項１】  アイロンパイプとアイロンパイプを加熱する加熱手段を備えたヘアーアイロンであって，外形が略円形となるアイロンパイプを受けパイプと押さえパイプとに二分割し，受けパイプと押さえパイプとを相対回動自在に枢支連結し，受けパイプと押さえパイプとの当接面をストレートアイロン面とし，合わされた受けパイプと押さえパイプの略円形となる外周面をカール付け面とし，受けパイプを押さえパイプより離間させる操作部を備え，受けパイプが押さえパイプに当接するように付勢するバネを設けて成ることを特徴とするヘアーアイロン。」
　（１−２）「【請求項２】  受けパイプと押さえパイプの外面に毛髪を巻き付けるためのブリスルを設けて成ることを特徴とする請求項１記載のヘアーアイロン。」
　（１−３）「【０００２】
【従来の技術】従来，ヘアーアイロンにおいては，一対の熱板間に毛髪を挟んで伸ばすストレートアイロンとパイプと円弧状の押さえ板を備えてカール付けをおこなうカーリングアイロンとがあるが，一台のアイロンでストレートとカーリング付けをおこなうことができないものとなっていた。
【０００３】
【発明が解決しようとする課題】ところで，外形が円形となるパイプを二分割し，分割パイプを合わせた状態で外部に円弧状の押さえ板を配設することによってストレートとカーリング付けをおこなうことができる構成のものも提案されているが，構造が複雑になるとともに使い勝手がよくないものであった。」
【０００４】本発明はこのような問題に鑑みてなされたものであり，簡単な構成で使いやすくしながら一台でストレート及びカール付けをおこなうことができるヘアーアイロンを提供することを課題とするものである。」
　（１−４）「【００１４】ヘアーアイロンＡは，アイロンパイプ１とアイロンパイプ１を加熱する加熱手段２を備えている。加熱手段２は電源コード１３よりの通電にて加熱される電気ヒータである。」
　（１−５）「【００１５】外形が略円形となるアイロンパイプ１を受けパイプ３と押さえパイプ４とに二分割して受けパイプ３を把手１４に固定している。押さえパイプ４を軸１５によって把手１４に枢支連結して受けパイプ３に対して回動自在にしている。受けパイプ３に加熱手段２を内蔵し，押さえパイプ４側に操作部５を一体化している。受けパイプ３及び押さえパイプ４は共に外周面が円弧面となり，合わせ面が平坦面となっている。押さえパイプ４の操作部５と把手１４との間にはコイル状のバネ６が介装されて操作部５に外力を加えない状態では押さえパイプ４が受けパイプ３に合わされ，又，操作部５をバネ６に抗して指等で押さえることによって押さえパイプ４を軸１５の周りに回動させて受けパイプ３から離間させることができるようにしている。」
　（１−６）「【００１６】これによれば，受けパイプ３と押さえパイプ４との当接面をストレートアイロンＳ面とし，合わされた受けパイプ３と押さえパイプ４の略円形となる外周面をカール付け面Ｃとしていて，操作部５を押さえて受けパイプ３を押さえパイプ４より離間し，受けパイプ３と押さえパイプ４との間に毛髪を導入して手を離すことでストレートアイロン面Ｓにおいてストレートアイロンをおこなうことができ，又，受けパイプ３と押さえパイプ４とを合わせた両パイプの外周面のカール付け面Ｃに毛髪を巻き付けることでカール付けをおこなうことができるのであり，このように一台でストレートとカール付けをおこなうことができるのである。」
　（１−７）「【００１７】この場合，片方の受けパイプ３にしか加熱手段２が存在していなくても受けパイプ３と押さえパイプ４とを合わせることから両方の該パイプ３，４を円滑に加熱することができるのであり，構成を簡素化し，使いやすくすることができるのである。」
  （１−８）「【００１８】受けパイプ３と押さえパイプ４の外周面には毛髪を巻き付けるためのブリスル７…を周方向に，又，パイプ長さ方向に間隔を隔てて設けていて，受けパイプ３と押さえパイプ４とを合わせた両パイプの外周面に毛髪を巻き付けやすくなり，一層，使いやすくなるのである。」
　（１−９）「【００１９】更に，ブリスル７…は受けパイプ３と押さえパイプ４の周方向に間隔を隔てて設けてあり，周方向のブリスル７…をブリスル７よりも低い連結部８にて連結していて，ブリスル７，７間に連結部８が存在して使用者の指が該パイプ３，４面に直接触れることを防止している。かつ，連結部８はブリスル７よりも低くしていることから，毛髪を巻き付ける場合に低くなった連結部８が邪魔になることがなくてよい。」
　（１−１０）「【００２０】図６乃至図８に示すように，受けパイプ３及び押さえパイプ４にパイプ長さ方向にあり溝１１を形成している。パイプ長さ方向に存在するブリスル７もしくは連結部８をパイプ長さ方向に長い帯状の接続部９にてパイプ長さ方向に接続している。接続部９の内面側にあり突部１２を形成している。あり突部１２をあり溝１１に係入し，帯状の接続部９の外面ａを受けパイプ３及び押さえパイプ４の外面ｂに略面一にしている。」
　（１−１１）「 【００２３】更に，ブリスル７…は受けパイプ３と押さえパイプ４の各周方向に間隔を隔てて形成され，受けパイプ３と押さえパイプ４とにブリスル７が各三群形成され，円周方向において合計六群形成されているのであり，このように，六群のブリスル７…を受けパイプ３と押さえパイプ４とに配置することから，毛髪を巻き付けやすく，カール付けの後に引っ掛かり難くてほどきやすくなり，更に，六群のブリスル７…を受けパイプ３と押さえパイプ４の合わせ面の近傍に配置することで，使用中に受けパイプ３と押さえパイプ４との分割面を誤って手で触れるのを防止することができるのである。」
　（１−１２）「【００２４】しかも，ブリスル７…は受けパイプ３及び押さえパイプ４の各周方向に間隔を隔てて形成されていて，図７に示すように，周方向にブリスル７…が多いもの（複数のブリスル７…群を各二山状にする）イと，図６に示すように，ブリスル７…が少ないものロをパイプ長さ方向に交互に配置していて，毛髪を巻き付けやすく，カール付けの後に引っ掛かり難くてほどきやすくなるのである。図６（ｂ）に示すように，ブリスル７の高さｈは約５ｍｍ，ブリスル７の幅ｗは約４ｍｍ，連結部８の高さｔは約１．５ｍｍであり，又，ブリスル７，７間のピッチｐは約５ｍｍであるが，これらの数値に制限されるものではない。」
　イ　甲第１号証に記載された発明
　上記（１−１），（１−２），（１−４）〜（１−１０）によれば，甲第１号証には，次の発明（以下「引用発明１」という。）が記載されていると認められる。
  ＜引用発明１＞
  「アイロンパイプ１と，アイロンパイプ１を電気コード１３よりの通電にて加熱する加熱手段２を備えたヘアーアイロンであって，
　外形が略円形となるアイロンパイプ１を受けパイプ３と押さえパイプ４とに二分割し，
　押さえパイプ４を軸１５によって把手１４に枢支連結して受けパイプ３に対して回動自在とし，押さえパイプ４の操作部５と把手１４との間にはコイル状のバネ６が介装されて操作部５に外力を加えない状態では押さえパイプ４が受けパイプ３に合わされ，又，操作部５をバネ６に抗して指等で押さえることによって押さえパイプ４を軸１５の周りに回動させて受けパイプ３から離間させ，
　受けパイプ３に加熱手段２を内蔵し，
　受けパイプ３と押さえパイプ４との当接面をストレートアイロン面Ｓとし，受けパイプ３と押さえパイプ４とを合わせた両パイプの外周面をカール付け面Ｃとし，
　受けパイプ３と押さえパイプ４の外面に毛髪を巻き付けるためのブリスル７を，前記外周面の周方向に，また，アイロンパイプ１の長さ方向に間隔を隔てて設け，
　周方向のブリスル７は，ブリスル７よりも低い連結部８により連結し，
　パイプ長さ方向に存在するブリスル７もしくは連結部８は両パイプの長さ方向に長い帯状の接続部９にて接続され，
　接続部９の内面側に形成されるあり突部１２を，両パイプの長さ方向に形成されるあり溝１１に係入し，帯状の接続部９の外面ａを両パイプの外面ｂに略面一にしている
　ヘアーアイロン。」
　ウ　引用例２には，以下の事項が記載されている。なお，記載事項の訳文は，パテントファミリーである特表２０１３−５１５５５６号公報の記載を援用した。
　（２−１）
　（［請求項１２］高温で加熱され，外周縁に長さ方向に沿って形成される多数の溝を備えたアイロンロールと，
　下部が前記アイロンロールの溝に締結され，前記アイロンロールと結合するブラシとを含み，
　前記ブラシは，プラスチック材質で下部の直径が上部の直径より大きく形成されて前記下部が前記アイロンロールの溝に締結され，上部が前記アイロンロールの上部に露出する
ことを特徴とするブラシ付アイロン。）
　（２−２）
　（［８０］　図８乃至図１２を参照すれば，本発明の他の実施形態によるブラシ付アイロン２００は取っ手（図示せず），アイロンロール１２０，加熱ヒーター１３０，ブラシ２４０，固定部（図示せず）を含む。）
　（２−３）
　（［８１］　前記ブラシ２４０は前記アイロンロール１２０の内部に結合される。前記ブラシ２４０は前記アイロンロール１２０の第１溝１２２に結合されて，使用者の毛髪に熱を伝える。また，前記ブラシ２４０の上部は，使用者の頭皮に接触するようになる。したがって，前記ブラシ２４０は熱伝導性が低いプラスチック，好ましくは耐熱性が良いナイロンまたはＰＢＴで構成され，前記頭皮を熱から保護する。）
　（２−４）
　（［８２］　前記ブラシ２４０は複数個が一体に形成される一列単位で具備される。つまり，前記ブラシ２４０は，前記アイロンロール１２０の第１溝１２２の１本当たりに一体である一列ずつ結合される。また，前記ブラシ２４０は前記下部に段差２４０ａを備え，結合時に前記段差２４０ａが前記第１溝１２２に結合することによって，結合後，前記ブラシ２４０が離脱しないようにすることができる。そして，前記ブラシ２４０は前記アイロンロール１２０の第２溝１２３が形成される側の端部から，前記第１溝１２２に前記段差２４０ａが結合されるようにして，一度に結合することができる。したがって，本発明の他の実施形態によるブラシ付アイロン２００の生産性を向上することができる。）
　エ　引用例２に記載された発明
　上記（２−１）〜（２−４）によれば，引用例２には，次の発明（以下「引用発明２」という。）が記載されていると認められる。
　＜引用発明２＞
　「高温で加熱され，外周縁に長さ方向に沿って形成される多数の溝１２２を備えた円筒形状のアイロンロール１２０と，
　下部が前記アイロンロール１２０の溝１２２に締結され，前記アイロンロール１２０と結合するブラシ２４０とを含み，
　前記ブラシ２４０は複数個が一体に形成される一列単位で具備され，
　前記ブラシ２４０は，熱伝導性の低いプラスチックで，下部の直径が上部の直径より大きく形成されて前記下部が前記アイロンロール１２０の溝１２２に締結され，上部が前記アイロンロール１２０の上部に露出する
　ブラシ付アイロン。」
　
４　判断
　ア　本件発明１と引用発明１とを対比すると，引用発明１の「受けパイプ３」，「押さえパイプ４」，「電気コード１３よりの通電にて加熱する加熱手段２」はそれぞれ，本件発明１の「棒状の第１の支持部材」，「棒状の第２の支持部材」，「電気を供給されて発熱する発熱部」に相当する。
　　また，引用発明１の受けパイプ３の「ストレートアイロン面Ｓ」は，本件発明１の「第１の支持部材に設けられ発熱部と熱的に接続される第１の熱部」に相当する。
　　また，引用発明１の「ブリスル７」及び「連結部８」は，上記（１−１１）のブリスル７は「受けパイプ３と押さえパイプ４の合わせ面の近傍に配置することで，使用中に受けパイプ３と押さえパイプ４との分割面を誤って手で触れるのを防止することができるのである」という記載や，上記（１−９）の連結部８は「使用者の指が該パイプ３，４面に直接触れることを防止している」という記載からみて，熱不良導体であることは明らかである。
　　さらに，図６ないし図８及び関連する記載からみて，「接続部９」は「ブリスル７」及び「連結部８」と一体に構成されていると解されるから，同様に熱不良導体であると認められる。そうすると，受けパイプ３の「カール付け面Ｃ」には，「ブリスル７」，「連結部８」及び「接続部９」によって複数面が画定されていることになる。よって，上記「カール付け面Ｃ」の当該複数面は，本件発明１の「第１の支持部材に設けられ第１の熱部の反対側に位置しかつ発熱部と熱的に接続され，互いに間隔をあけて配置された複数の第３の熱部」に相当する。
　イ　そうすると，本件発明１と引用発明１とは少なくとも次の２点で相違する。
　＜相違点１＞
　　本件発明１では，第３の熱部の間隙に突設された略円柱状の複数の熱不良導体からなる第１のくし歯部と，第４の熱部の間隙に突設された略円柱状の複数の熱不良導体からなる第２のくし歯部とを備えるのに対して，
　　引用発明１では，受けパイプ３及び押さえパイプ４のカール付け面Ｃに設けた複数の熱不良導体からなるブリスル７を備える点。
　＜相違点２＞
　　本件発明１では，第２の支持部材は，第１の支持部材に回転可能に設けられ，互いに拡開するように付勢され，かつ必要以上に拡開しないように拡開方向への回動が規制される（以下「常開構造」という。）とともに，第１の熱部と対向して発熱部と熱的に接続される第２の熱部と，第２の熱部の反対側に位置しかつ発熱部と熱的に接続され，互いに間隔をあけて配置された複数の第４の熱部を備えるのに対し，
　　引用発明１では，押さえパイプ４は，軸１５によって把手１４に枢支連結して受けパイプ３に対して回動自在であり，押さえパイプ４の操作部５と把手１４との間にはコイル状のバネ６が介装されて操作部５に外力を加えない状態では受けパイプ３に合わされ，又，操作部５をバネ６に抗して指等で押さえることによって軸１５の周りに回動させて受けパイプ３から離間させるもの（以下「常閉構造」という。）であり，加熱手段と熱的に接続される二つの熱部を備えず，加熱手段を内蔵する受けパイプ３と合わせることによって加熱されるものである点。
　ウ　上記相違点について検討する。
　　まず，相違点１について検討するに，引用発明２のブラシ２４０は，熱部の間隙に突設された略円柱状の複数の熱不良導体からなるくし歯に相当するものであって，引用発明２は，上記相違点２に係る本件発明１の構成に対応する構成を備えるものである。
　　しかしながら，引用発明２のブラシ付アイロンは，毛髪を挟む二部材を備えないものであり，毛髪を挟むことなく，アイロンロール１２０の外周面に毛髪を当接させ，回転させながら，髪の長手方向に向かってヘアアイロンを下していくことでカール付けをおこなうものであるのに対して，引用発明１のヘアーアイロンは，受けパイプ３のストレートアイロン面Ｓ及び押さえパイプ４のストレートアイロン面Ｓの間に毛髪を挟み，その後，両パイプで毛髪を挟んだまま外周面のカール付け面Ｃに毛髪を巻き付けることで，カール付けを行うものであり，両者は，カール付けに係る使用形態が異なるものと認められる。
　　そうすると，引用発明１のブリスル７と引用発明２のブラシ２４０とは，カール付けに際し求められる機能が異なるものであるから，引用発明１に引用発明２のブラシ２４０に係る上記事項を適用する動機付けはないといえる。
　　実際のところ，引用発明１のブリスル７は，上記（１−１２），図６，図７等に示されるように，高さ約５ｍｍ，幅７ｍｍの山状の平板であって，パイプ周方向に間隔を隔てて六ないし十群配設されるものであり，毛髪を両パイプで挟むことなく，アイロンパイプ１の外周面にカール付けできる程度の力で当接させるには不十分な構造であることは明らかである。
　　また仮に，引用発明１に引用発明２のブラシ２４０に係る事項を適用するとしても，ブリスル７は連結部８と一体の技術手段であるから，上記適用によって，ブリスル７及び連結部８が連結部のないブラシ２４０に置き換わることになるが，連結部８は，上記（１−９）にも記載されるように，「使用者の指が外パイプ３，４面に直接触れることを防止している」という引用発明１の主要な効果を奏するものであるところ，これを廃するような上記適用には阻害要因があるといわざるを得ない。
　　よって，引用発明１をして，上記相違点２に係る本件発明１の構成とすることは，当業者が容易に想到し得たこととはいえない。
　エ　次に，相違点２について検討する。
　　特許異議申立人が，平成２９年２月２４日付け意見書において，以下に示す甲第４号証ないし甲第１５号証を挙げて主張するとおり，ヘアアイロンを常開構造とすること，及び，ヘアアイロンにおいて毛髪を挟む二部材の双方に加熱手段と熱的に接続する熱部を備えるようにすることは，いずれも周知技術といえる。
　　しかしながら，引用発明１が常閉構造であるのは，加熱手段２を受けパイプ３のみに内蔵し，押さえパイプ４については受けパイプ３と合わせることによって，いわば間接的に加熱するからである。そして，これによって，上記（１−８）にも記載されるように，「構成を簡素化し，使いやすくすることができる」という効果を奏する。つまり，引用発明１の常閉構造は，加熱手段２を受けパイプ３のみに内蔵することと技術的に密接に関連する構成である。
　　そうすると，ヘアアイロンを常開構造とすることが周知技術であったとしても，引用発明１において，加熱手段２を受けパイプ３のみに内蔵する構成はそのままに，単に常開構造を適用することは，押さえパイプ４の加熱を不十分なものとしてしまうから，阻害要因があるといわざるを得ない。
　　また，常開構造に加えて，ヘアアイロンにおいて毛髪を挟む二部材の双方に加熱手段と熱的に接続する熱部を備えるようにすることが周知技術であっても，引用発明１において上記「構成を簡素化し，使いやすくすることができる」という効果を無視してまで，当該周知技術を適用する動機付けは見出せない。
　　さらに，甲第６号証ないし甲第１５号証には，上述のように，常開構造のヘアアイロンにおいて，毛髪を挟む二部材の双方に，加熱手段と熱的に接続する熱部を備えるものが開示されているものの，これらはいずれも，本件発明１のように毛髪を挟む面と反対側の背面を利用してカール付けを行うものではなく，背面を積極的に加熱する必要がないものであって，その熱部は二部材それぞれに一つずつであり，本件発明１の第２の支持部材のように，第２の熱部に加えて，発熱部に熱的に接続された第４の熱部を備えるものではない。したがって，仮に引用発明１に上記周知技術を適用できたとしても，上記相違点２に係る本件発明１の構成を得ることはできない。
　　よって，引用発明１をして，上記相違点２に係る本件発明１の構成とすることは，当業者が容易に想到し得たこととはいえない。
　　甲第４号証　　特開平５−３０９０１１号公報
　　甲第５号証　　特開平６−９０８１３号公報
　　甲第６号証　　特開２００５−８７２５８号公報
　　甲第７号証　　特開２００６−１５８７５６号公報
　　甲第８号証　　特開２００６−１６７１４８号公報
　　甲第９号証　　特許第３６０９０６４号公報
　　甲第１０号証　再公表特許２００５−０１１４３４号公報
　　甲第１１号証　米国特許公開第２０１１／００８３６９５号明細書
　　甲第１２号証　特開平８−２１４９３４号公報
　　甲第１３号証　特許第２９３７４９９号公報
　　甲第１４号証　特開２００３−３３９４２２号公報
　　甲第１５号証　特開２０００−２３２９１１号公報
　オ　以上より，本件発明１は，甲第１号証に記載された発明，引用例２に記載された発明及び上記周知技術に基いて，当業者が容易に発明をすることができたものではない。
　　また，本件発明２〜１１は，本件発明１を更に減縮したものであるから，本件発明１についての判断と同様の理由により， 甲第１号証に記載された発明，引用例２に記載された発明及び周知技術に基いて，当業者が容易に発明をすることができたものではない。
　
５　特許異議申立人の意見について
　特許異議申立人は，平成２９年２月２４日付け意見書において，本件訂正請求で訂正された請求項１の「互いに拡開するように付勢され，かつ必要以上に拡開しないように拡開方向への回動が規制された」のうち「必要以上に」の記載は，具体的でなく，何が必要なのか不明確であり，特許法第３６条第６項第２号の規定に違反している旨主張している。
　しかしながら，当該記載の根拠は，本件明細書の【００２４】にあり，これに図４，図５等を併せみれば，上記「必要以上に」という記載が，使用者がヘアアイロンを使用するのに差し支えるような広い開度（使用者が上側及び下側アーム部を掴むのに適さないような広い開度）に，ということを意味していることは，当業者にとって明らかである。
　よって，特許異議申立人の上記主張には理由がない。
第４　むすび
　以上のとおりであるから，上記取消理由通知に記載した取消理由によっては，本件請求項１〜１１に係る特許を取り消すことはできない。
　また，他に本件請求項１〜１１に係る特許を取り消すべき理由を発見しない。
　よって，結論のとおり決定する。
【異議決定日】
平成２９年４月１９日（２０１７．４．１９）
【訂正の要旨】
審決（決定）の【理由】欄参照。
（５７）【特許請求の範囲】
　【請求項１】
　棒状の第１の支持部材と、
　前記第１の支持部材に回転可能に設けられ
、互いに拡開するように付勢され、かつ必要以上に拡開しないように拡開方向への回動が規制され
　電気を供給されて発熱する発熱部と、
　前記第１の支持部材に設けられ前記発熱部と熱的に接続される第１の熱部と、
　前記第１の熱部と対向して前記第２の支持部材に設けられかつ前記発熱部と熱的に接続される第２の熱部と
　前記第１の支持部材に設けられ前記第１の熱部の反対側に位置しかつ前記発熱部と熱的に接続され、互いに間隔をあけて配置された複数の第３の熱部と、
　前記第２の支持部材に設けられ前記第２の熱部の反対側に位置しかつ前記発熱部と熱的に接続され、互いに間隔をあけて配置された複数の第４の熱部と、
　前記第３の熱部の間隙に突設された略円柱状の複数の熱不良導体からなる第１のくし歯部と、
　前記第４の熱部の間隙に突設された略円柱状の複数の熱不良導体からなる第２のくし歯部と
　を備えることを特徴とするくし付きヘアアイロン。
　【請求項２】
　前記第１のくし歯部の前記熱不良導体は、前記第１の支持部材の長手方向に沿って配列され、前記第２のくし歯部の前記熱不良導体は、前記第２の支持部材の長手方向に沿って配列されていることを特徴とする請求項１に記載のくし付きヘアアイロン。
　【請求項３】
　前記第１及び第２の支持部材が、それぞれ半円筒形状を有し、かつ平坦面を対向させて互いに並列しており、
　前記第１及び第２の熱部は、前記平坦面側にそれぞれ配置され、
　前記第３及び第４の熱部は、前記平坦面の逆側の外周面側にそれぞれ配置されること
　を特徴とする請求項１または２に記載のくし付きヘアアイロン。
　【請求項４】
　前記第３及び第４の熱部は、前記第１及び第２の支持部材の外周面の周方向に沿ってそれぞれ前記間隔をあけて配設されていることを特徴とする請求項１ないし３のいずれか１項に記載のくし付きヘアアイロン。
　【請求項５】
　前記第１及び第２のくし歯部の前記熱不良導体がピン体であることを特徴とする請求項１ないし４のいずれか１項に記載のくし付きヘアアイロン。
　【請求項６】
　前記第１の支持部材に設けられる半円筒状の第１の熱良導体と、
　前記第２の支持部材に設けられる半円筒状の第２の熱良導体と
をさらに備え、
　前記第１及び第２の熱良導体は、長手方向に沿って外周面に設けられた複数の溝部をそれぞれ有し、
　前記第３の熱部は、前記複数の溝部と交互に配置された前記第１の熱良導体の外周面部であり、
　前記第４の熱部は、前記複数の溝部と交互に配置された前記第２の熱良導体の外周面部であること
　を特徴とする請求項１ないし５のいずれか１項に記載のくし付きヘアアイロン。
　【請求項７】
　前記第１及び第２のくし歯部は、前記溝部に挿入される板状の基部をそれぞれ有し、
　前記熱不良導体は、前記基部の長手方向に所定の間隔をあけて当該基部の表面から突設されること
　を特徴とする請求項６に記載のくし付きヘアアイロン。
　【請求項８】
　前記第１のくし歯部は、前記第１の熱良導体の外周面の円周方向に沿って２つ以上設けられ、
　前記第２のくし歯部は、前記第２の熱良導体の外周面の円周方向に沿って２つ以上設けられる
　ことを特徴とする請求項６または７に記載のくし付きヘアアイロン。
　【請求項９】
　前記発熱部が、前記第１及び第２の支持部材にそれぞれ設けられる第１及び第２の発熱体を備えることを特徴とする請求項１ないし８のいずれか１項に記載のくし付きヘアアイロン。
　【請求項１０】
　前記第１の発熱体は、前記第１及び第３の熱部と熱的に接続され、
　前記第２の発熱体は、前記第２及び第４の熱部と熱的に接続される
　ことを特徴とする請求項９に記載のくし付きヘアアイロン。
　【請求項１１】
　前記第１または第２の支持部材に設けられる放電電極と、
　前記放電電極に高電圧を印加する高電圧発生部と、
　をさらに備えること
　を特徴とする請求項１ないし１０のいずれか１項に記載のくし付きヘアアイロン。